(57)【特許請求の範囲】
【請求項１】
それぞれ異なる大きさのドットで構成される複数の領域を含み、複数の画素が交差する二方向に配置されてなる画像に処理を行う画像処理装置において、
前記画素の配置に係る二方向に交差する方向に配置される２組の画素群について、一方の画素群に含まれる画素に対して割り当てられる値と他方の画素群に含まれる画素に対して割り当てられる値とが異なり、前記２組の画素群の少なくとも一方に含まれる各画素に対して一定の値が割り当てられたディザマトリクスパターンを用いた中間調処理を行う処理部を備えることを特徴とする画像処理装置。
【請求項２】
前記処理部は、前記画像の解像度に応じて、前記ディザマトリクスパターンを構成する各値に対応する画素の数が変更されたディザマトリクスパターンを用いて中間調処理を行うようにしてあることを特徴とする請求項１に記載の画像処理装置。
【請求項３】
前記複数の領域のうちの小さいドットで構成される領域は、複写した場合に顕像化しない背景部であり、
大きいドットで構成される領域は、複写した場合に顕像化する潜像部であることを特徴とする請求項１又は２に記載の画像処理装置。
【請求項４】
前記ディザマトリクスパターンは、前記中間調処理によって前記背景部及び潜像部の濃度が同一となる値で構成されていることを特徴とする請求項３に記載の画像処理装置。
【請求項５】
前記複数の領域のうちのひとつを構成する小さいドットは、前記ディザマトリクスパターンを構成する各値に対応する画素数のｉ（自然数）倍以下の画素で構成されており、
大きいドットは、前記ディザマトリクスパターンを構成する各値に対応する画素数のｊ（自然数，ｊ＞ｉ）倍以上の画素で構成されていること
を特徴とする請求項１から４までのいずれかひとつに記載の画像処理装置。
【請求項６】
前記小さいドットは、前記ディザマトリクスパターンを構成する各値に対応する画素数の３倍以下の画素で構成されていることを特徴とする請求項５に記載の画像処理装置。
【請求項７】
前記小さいドットは、前記ディザマトリクスパターンを構成する各値に対応する数の画素を１組の画素群とし、隣り合う２組の画素群と、該画素群の配置方向に交差する方向にいずれかの画素群に隣り合う１組の画素群との３組の画素群で構成されており、
近傍の各ドットは、前記２組の画素群及び前記１組の画素群の位置関係を異ならせてあることを特徴とする請求項６に記載の画像処理装置。
【請求項８】
それぞれ異なる太さのラインで構成され、複数の画素が交差する二方向に配置されてなる画像に処理を行う画像処理装置において、
前記画素の配置に係る二方向に交差する方向に配置される２組の画素群について、一方の画素群に含まれる画素に対して割り当てられる値と他方の画素群に含まれる画素に対して割り当てられる値とが異なり、前記２組の画素群の少なくとも一方に含まれる各画素に対して一定の値が割り当てられたディザマトリクスパターンを用いた中間調処理を行う処理部を備えることを特徴とする画像処理装置。
【請求項９】
前記異なる太さのラインのひとつを構成する細線は、前記ディザマトリクスパターンを構成する各値に対応する画素の一方向の幅のａ（自然数）倍以下の幅を有するラインで構成されており、
前記細線よりも太い太線は、前記ディザマトリクスパターンを構成する各値に対応する画素の前記一方向の幅のｂ（自然数，ｂ＞ａ）倍以上の幅を有するラインで構成されていること
を特徴とする請求項８に記載の画像処理装置。
【請求項１０】
前記ディザマトリクスパターンは、画素が配置される一方向に２画素、他方向に１画素のサイズを有しており、
前記処理部は、前記ディザマトリクスパターンを前記他方向に１画素ずつシフトさせて前記中間調処理を行うようにしてあることを特徴とする請求項１から９までのいずれかひとつに記載の画像処理装置。
【請求項１１】
前記ディザマトリクスパターンは、画素が配置される一方向にｎ（偶数）画素、他方向にｍ（偶数）画素のサイズ、又は、前記一方向に（ｎ＋１）画素、前記他方向に（ｍ＋１）画素のサイズのうちの、前記画像と干渉しないサイズを有することを特徴とする請求項１から９までのいずれかひとつに記載の画像処理装置。
【請求項１２】
請求項１から１１までのいずれかひとつに記載の画像処理装置と、
画像を形成する画像形成部とを備え、
該画像形成部は、前記画像処理装置にて処理された画像を形成するようにしてあることを特徴とする画像形成装置。
【請求項１３】
それぞれ異なる大きさのドットで構成される複数の領域を含み、複数の画素が交差する二方向に配置されてなる画像に処理を行う画像処理装置による画像処理方法において、
前記画素の配置に係る二方向に交差する方向に配置される２組の画素群について、一方の画素群に含まれる画素に対して割り当てられる値と他方の画素群に含まれる画素に対して割り当てられる値とが異なり、前記２組の画素群の少なくとも一方に含まれる各画素に対して一定の値が割り当てられたディザマトリクスパターンを用いた中間調処理を行うステップを含むことを特徴とする画像処理方法。
【発明の詳細な説明】
【技術分野】
【０００１】
本発明は、異なる大きさのドットで構成される複数の領域を含む画像の画質を維持できる画像処理装置、画像形成装置及び画像処理方法に関する。
【背景技術】
【０００２】
電子写真方式による画像形成装置では、感光体の劣化や使用環境の変化等によってトナー像の濃度が変化するので、適切なべた濃度を安定して得られるように現像バイアスやグリッドバイアス（帯電バイアス）を調整して画像濃度を制御する処理が行われている。しかし、現像バイアスやグリッドバイアスの調整では、細線やドットの太りや細りまでを調整することは難しい。
そこで、特許文献１では、細線やドットについても鮮明な画質を実現するための技術が提案されている。特許文献１に開示された発明は、感光体上に作像されたテストパターンのトナー像の濃度を検出し、検出結果に基づいて、各テストパターンの最適光量を設定しておき、処理対象の画像の形態に対応するテストパターンの最適光量にて画像形成を行う構成である。これにより、特許文献１では、感光体の劣化等が生じている場合であっても高画質を実現できる。
【０００３】
ところで、近年、コンビニエンスストア等に設置された端末（複合機）を使用して、通信回線やインターネット等を介して市役所のデータベースに接続し、住民票や印鑑証明書等の機密文書データをダウンロードして印刷（プリント出力）することが行われている。また、このような機密文書を印刷する際に、不正複写による偽造及び改竄を抑制するために、原本の機密文書に地紋画像を合成することが行われている（例えば特許文献２）。
【０００４】
地紋画像は、原稿（原本）を複写した場合にドットが残る、又はドットの減少が少ない潜像部と、原稿（原本）を複写した場合にドットが消失する、又はドットの減少が多い背景部との２つの領域を有する。潜像部及び背景部は同一の濃度に調整されているので、原本では潜像部を識別することは難しいが、複写物では潜像部が明確に現れるので、その複写物は不正複写されたものであることを容易に判断できる。例えば「複写」の文字を潜像部として構成した地紋画像（原本）を複写した場合、複写物では「複写」の文字が明確に現れる。
このように、地紋画像の潜像部は大きいドットで構成されており、背景部は小さいドットで構成されており、潜像部及び背景部は安定性や再現性に関して異なる特性を持っている。即ち、複写された場合、潜像部は濃度変化が少なく原本の画像がそのまま再現されるが、背景部は複写による濃度変化が大きく原本の画像が消失する。よって、複写物において潜像部及び背景部の間に濃度差が生じ、潜像部を構成する文字や画像の判別が容易になる。
【先行技術文献】
【特許文献】
【０００５】
【特許文献１】特開２００４−３０６５９０号公報
【特許文献２】特許第３９１８４１４号公報
【発明の概要】
【発明が解決しようとする課題】
【０００６】
しかし、潜像部及び背景部間における特性の相異は、原本の複写時のみに発生するのではなく、地紋画像が合成された画像（原本）を印刷する際にも発生する。従って、画像形成装置の個々のばらつき、画像形成装置を構成する各部の劣化等の経時変化、使用環境の変化等によって、潜像部及び背景部間の濃度の不一致が生じる場合がある。原本では地紋画像が目立たないように潜像部及び背景部を同一の濃度で形成する必要があるが、このように潜像部及び背景部間で濃度の不一致が生じた場合、原本の画質に影響を与えてしまうという問題が生じる。
【０００７】
本発明は、斯かる事情に鑑みてされたものであり、その目的とするところは、地紋画像の潜像部や背景部に代表されるドットや細線等の濃度を最適に調整することができるので、画像の再現性を向上させることが可能な画像処理装置、画像形成装置及び画像処理方法を提供することにある。
【課題を解決するための手段】
【０００８】
本発明に係る画像処理装置は、それぞれ異なる大きさのドットで構成される複数の領域を含み、複数の画素が交差する二方向に配置されてなる画像に処理を行う画像処理装置において、前記画素の配置に係る二方向に交差する方向に配置される２組の画素群について、一方の画素群に含まれる画素に対して割り当てられる値と他方の画素群に含まれる画素に対して割り当てられる値とが異なり、前記２組の画素群の少なくとも一方に含まれる各画素に対して一定の値が割り当てられたディザマトリクスパターンを用いた中間調処理を行う処理部を備えることを特徴とする。
【０００９】
本発明に係る画像処理装置は、それぞれ異なる太さのラインで構成され、複数の画素が交差する二方向に配置されてなる画像に処理を行う画像処理装置において、前記画素の配置に係る二方向に交差する方向に配置される２組の画素群について、一方の画素群に含まれる画素に対して割り当てられる値と他方の画素群に含まれる画素に対して割り当てられる値とが異なり、前記２組の画素群の少なくとも一方に含まれる各画素に対して一定の値が割り当てられたディザマトリクスパターンを用いた中間調処理を行う処理部を備えることを特徴とする。
【００１０】
本発明に係る画像形成装置は、上述した画像処理装置と、画像を形成する画像形成部とを備え、該画像形成部は、前記画像処理装置にて処理された画像を形成するようにしてあることを特徴とする。
【００１１】
本発明に係る画像処理方法は、それぞれ異なる大きさのドットで構成される複数の領域を含み、複数の画素が交差する二方向に配置されてなる画像に処理を行う画像処理装置による画像処理方法において、前記画素の配置に係る二方向に交差する方向に配置される２組の画素群について、一方の画素群に含まれる画素に対して割り当てられる値と他方の画素群に含まれる画素に対して割り当てられる値とが異なり、前記２組の画素群の少なくとも一方に含まれる各画素に対して一定の値が割り当てられたディザマトリクスパターンを用いた中間調処理を行うステップを含むことを特徴とする。
【発明の効果】
【００１２】
本発明によれば、１つのディザマトリクスパターンを用いて中間調処理を行うことによって、ドットや細線等を最適に調整することができ、画像の再現性を向上させ、高画質を安定して実現できる。
【図面の簡単な説明】
【００１３】
【図１】本実施形態に係る画像形成装置の内部構成例を示す縦断面図である。
【図２】本実施形態に係る画像形成装置の制御系の構成例を示すブロック図である。
【図３】画像処理部による画像処理の手順を示すフローチャートである。
【図４】地紋画像の例を示す模式図である。
【図５】地紋画像の潜像部及び背景部に用いるマスクパターンの例を示す模式図である。
【図６】中間調処理に用いられるディザマトリクスパターンの例を示す模式図である。
【図７】ディザマトリクスパターンの具体例を示す模式図である。
【図８】５×５のディザマトリクスパターンの例を示す模式図である。
【図９】中間調処理後の背景部用のマスクパターンの例を示す模式図である。
【図１０】４×４のディザマトリクスパターンの例を示す模式図である。
【図１１】中間調処理後の潜像部用のマスクパターンの例を示す模式図である。
【図１２】中間調処理後の背景部用のマスクパターンの例を示す模式図である。
【図１３】中間調処理前の地紋画像の階調値と中間調処理後の地紋画像の出力濃度との関係特性を示す特性図である。
【図１４】解像度が１２００ｄｐｉの潜像部用のマスクパターンを示す模式図である。
【図１５】解像度が１２００ｄｐｉの背景部用のマスクパターンを示す模式図である。
【図１６】解像度が１２００ｄｐｉの画像に対する中間調処理に用いられるディザマトリクスパターンの例を示す模式図である。
【図１７】中間調処理後の潜像部用のマスクパターンの例を示す模式図である。
【図１８】中間調処理後の背景部用のマスクパターンの例を示す模式図である。
【発明を実施するための形態】
【００１４】
以下に、本発明に係る画像処理装置、画像形成装置及び画像処理方法について、その実施形態を示す図面に基づいて詳述する。
【００１５】
図１は本実施形態に係る画像形成装置の内部構成例を示す縦断面図である。本実施形態の画像形成装置（画像処理装置）１は、例えば、コンビニエンスストア等の店舗内に設置されたプリンタであり、外部に接続されたパーソナルコンピュータ等の情報処理装置（図示せず）から取得した画像データに基づいて、コピー用紙、ＯＨＰ(Over Head Projector)フィルム等のシート上に多色及び単色の画像を形成するプリント機能を有する。また、画像形成装置１は、外部の情報処理装置から文字、図形、写真等の画像データをページ記述言語の形式で受信し、印刷可能な印刷実行データ（画像データ）を生成する機能も有する。
【００１６】
本実施形態の画像形成装置１の最下部には、画像形成に使用するシート（記録用紙）を収容するトレイを有する引出し式の給紙カセット２０が配設されている。給紙カセット２０は、ユーザが手前側に引き出すことによりトレイを開放することができ、トレイを開放させた状態でシートの補充を行うことができる。また、図１における画像形成装置１の右側面には、少量のシートを載置する手差しトレイ２６が設けられており、手差しトレイ２６上に載置されたシートも画像形成装置１内部に取り込まれて画像形成される。
【００１７】
給紙カセット２０の上部には露光ユニット１１が設けられている。露光ユニット１１の上部には、黒（ＢＫ）、シアン（Ｃ）、マゼンタ（Ｍ）、イエロ（Ｙ）の各色を用いて多色画像を形成するために、各色毎の現像器１２ａ，１２ｂ，１２ｃ，１２ｄ、感光体ドラム１３ａ，１３ｂ，１３ｃ，１３ｄ、クリーナユニット１４ａ，１４ｂ，１４ｃ，１４ｄ、帯電器１５ａ，１５ｂ，１５ｃ，１５ｄ等が設けられている。
なお、各符号に付したａ、ｂ、ｃ、ｄの記号は、例えば黒（ＢＫ）、シアン（Ｃ）、マゼンタ（Ｍ）、イエロ（Ｙ）の各色に対応するように記載しているが、以下では、特定の色に対応する部材を指定して説明する場合を除いて、各色に対して設けられている部材をまとめて、現像器１２、感光体ドラム１３、クリーナユニット１４、帯電器１５と記載する。
【００１８】
帯電器１５ａ〜１５ｄには、それぞれ対応する感光体ドラム１３ａ〜１３ｄに接触するように構成されたローラ型帯電器が用いられており、感光体ドラム１３ａ〜１３ｄの表面を所定の電位に均一的に帯電させる。なお、ローラ型帯電器の代わりに、ブラシ型帯電器、チャージャー型帯電器を用いる構成であっても良い。例えば、帯電器１５ａ〜１５ｄはそれぞれ対応する感光体ドラム１３ａ〜１３ｄの表面をマイナス極性に帯電させる。
【００１９】
露光ユニット１１は、レーザ光を照射するレーザ照射部及び反射ミラーを備えたレーザスキャニングユニット（ＬＳＵ）により構成されており、レーザ照射部から発せられたレーザ光が感光体ドラム１３ａ〜１３ｄ上に照射されるようにポリゴンミラー及び反射ミラーが設けられている。なお、露光ユニット１１には、ＬＳＵのほかに、例えばＥＬ（Electro Luminescence：エレクトロルミネセンス）やＬＥＤ（Light Emitting Diode：発光ダイオード）等の発光素子をアレイ状に並べた書込みヘッドを用いることもできる。
【００２０】
露光ユニット１１は、印刷実行データに基づいてレーザ光を発し、帯電器１５ａ〜１５ｄにより帯電された感光体ドラム１３ａ〜１３ｄの表面にレーザ光を照射して感光体ドラム１３ａ〜１３ｄ上のマイナス電荷を除去する。これにより、印刷実行データ（画像データ）に応じた静電潜像が感光体ドラム１３ａ〜１３ｄ上に形成される。
【００２１】
現像器１２ａ〜１２ｄのそれぞれは、黒、シアン、マゼンタ、イエロの各色のトナー（現像剤）を収納しており、収納しているトナーをマイナス極性に帯電させると共に、このトナーを感光体ドラム１３ａ〜１３ｄの表面に形成された静電潜像に対して供給する。マイナス極性に帯電しているトナーは、感光体ドラム１３ａ〜１３ｄの表面においてレーザ光によってマイナス電荷が除去された部分に吸着し、これにより、現像器１２は、それぞれ対応する感光体ドラム１３上の静電潜像を顕像化したトナー像を形成する。
【００２２】
感光体ドラム１３ａ〜１３ｄの周囲には、現像器１２ａ〜１２ｄ及び帯電器１５ａ〜１５ｄのほかに、感光体ドラム１３ａ〜１３ｄの表面に顕像化されたトナー像をシートに転写した後に感光体ドラム１３ａ〜１３ｄの表面に残留するトナーを回収及び除去するクリーナユニット１４ａ〜１４ｄが設けられている。
【００２３】
本実施形態の画像形成装置１は、感光体ドラム１３ａ〜１３ｄ上のトナー像を中間転写方式によってシート上に転写するように構成されており、感光体ドラム１３ａ〜１３ｄの上部に中間転写ベルトユニット１８を備えている。中間転写ベルトユニット１８は、中間転写ベルト１７、中間転写ベルト駆動ローラ１７１、中間転写ベルト従動ローラ１７２、中間転写ローラ１６ａ，１６ｂ，１６ｃ，１６ｄ、中間転写ベルトクリーニングユニット１９等を備えている。また中間転写ベルトユニット１８は、中間転写ベルト１７の張架状態を維持する中間転写ベルトテンション機構（図示せず）を備えている。なお、以下では、中間転写ローラ１６ａ，１６ｂ，１６ｃ，１６ｄをまとめて中間転写ローラ１６と記載することとする。
【００２４】
中間転写ベルト駆動ローラ１７１、中間転写ベルトテンション機構、中間転写ローラ１６ａ〜１６ｄ、中間転写ベルト従動ローラ１７２等は、中間転写ベルト１７を張架し、中間転写ベルト駆動ローラ１７１の駆動力により中間転写ベルト１７を図中の矢符で示す方向へ回転させるように構成されている。中間転写ローラ１６ａ〜１６ｄは、中間転写ベルトテンション機構に設けられた中間転写ローラ取付部に回転可能に支持されている。また、中間転写ローラ１６ａ〜１６ｄは、中間転写ベルトテンション機構の電源部（図示せず）に接続されており、電源部からの帯電電位によって中間転写ベルト１７との接触部分において中間転写ベルト１７を所定電位（転写バイアス）に帯電させる。これにより、感光体ドラム１３ａ〜１３ｄのそれぞれから転写されるトナー像が中間転写ベルト１７に吸着される。
【００２５】
中間転写ベルト１７は、例えば厚さ１１００μｍ〜１１５０μｍ程度のフィルムを用いて無端状に形成されており、その表面を感光体ドラム１３ａ〜１３ｄのそれぞれに接触させて設けられている。感光体ドラム１３ａ〜１３ｄのそれぞれに形成された各色のトナー像を中間転写ベルト１７に順次的に重ねて転写することにより、中間転写ベルト１７上にカラーのトナー像（多色トナー像）が形成される。
【００２６】
感光体ドラム１３ａ〜１３ｄから中間転写ベルト１７へのトナー像の転写は、中間転写ベルト１７の裏側に接触している中間転写ローラ１６ａ〜１６ｄによって行われる。中間転写ローラ１６ａ〜１６ｄには、トナー像を転写するために高電圧の転写バイアス、即ち、トナーの帯電極性（−）とは逆極性（＋）の高電圧が印加されている。中間転写ローラ１６ａ〜１６ｄは、直径１８〜１１０ｍｍの金属（例えば、ステンレス）軸をベースとし、その表面が、導電性の弾性材（例えば、ＥＰＤＭ、発砲ウレタン等）により覆われているローラである。この導電性を有する弾性材により、中間転写ローラ１６ａ〜１６ｄは中間転写ベルト１７に対して均一的に高電圧を印加することができる。本実施形態では、転写電極としてローラ形状の電極を用いているが、ブラシ形状の電極を用いることもできる。
【００２７】
上述したように各感光体ドラム１３ａ〜１３ｄ上で各色に応じて顕像化されたトナー像は中間転写ベルト１７上で積層され、印刷用の画像が多色トナー像により中間転写ベルト１７上で再現される。このように中間転写ベルト１７上に転写された多色トナー像は、中間転写ベルト１７の回転によって、シートと中間転写ベルト１７との接触位置に配置される転写ローラ２１によってシート上に転写される。
このとき、中間転写ベルト１７及び転写ローラ２１は所定のニップで圧接されると共に、転写ローラ２１には多色トナー像をシート上に転写させるための電圧、即ち、トナーの帯電極性（−）とは逆極性（＋）の高電圧が印加される。ここで、中間転写ベルト１７と転写ローラ２１との間のニップを定常的に得るために、転写ローラ２１又は中間転写ベルト駆動ローラ１７１の何れか一方を金属等の硬質材料により構成し、他方を弾性ゴム、発泡性樹脂等の軟質材料により構成している。
【００２８】
また、上述のようにして感光体ドラム１３ａ〜１３ｄとの接触により中間転写ベルト１７に付着したトナー、又は転写ローラ２１によってシート上に転写が行われずに中間転写ベルト１７上に残留したトナーは、次工程でトナーの混色を発生させる原因となるため、中間転写ベルト従動ローラ１７２の近傍に設けられた中間転写ベルトクリーニングユニット１９によって除去及び回収される。中間転写ベルトクリーニングユニット１９には、中間転写ベルト１７に接触するクリーニング部材としてクリーニングブレードが設けられており、クリーニングブレードが中間転写ベルト１７と接触する部分は、中間転写ベルト１７の裏側から中間転写ベルト従動ローラ１７２で支持されている。
【００２９】
給紙カセット２０及び手差しトレイ２６は、それぞれに積層されたシートの先端部近傍にピックアップローラ２８ａ，２８ｂを有しており、各ピックアップローラ２８ａ，２８ｂにより１枚毎に分離給送されたシートは搬送経路Ｓを通じて画像形成装置１内部へ供給される。なお、搬送経路Ｓ上の適宜箇所には、シートの搬送を促進及び補助するための搬送ローラ２７が複数設けられており、ピックアップローラ２８ａ，２８ｂによりそれぞれ分離給送されて搬送ローラ２７まで搬送されたシートは、搬送ローラ２７によってレジストローラ２３まで搬送経路Ｓを通じて搬送される。
【００３０】
レジストローラ２３は、上述した転写ローラ２１及び中間転写ベルト駆動ローラ１７１の下側に設けられている。レジストローラ２３が、給紙カセット２０又は手差しトレイ２６から搬送されてきたシートを一旦保持し、シートの先端と中間転写ベルト１７上のトナー像の先端とを整合するタイミングでシートを転写ローラ２１へ搬送することにより中間転写ベルト１７上のトナー像を前記シート上に転写する。
【００３１】
トナー像が転写されたシートは略垂直に搬送され、転写ローラ２１の上側に設けられた定着ユニット２２に到達する。定着ユニット２２は、ヒートローラ２４及び加圧ローラ２５等を備えており、図示しない温度検出器からの検出値に基づいてヒータ（図示せず）を制御することによりヒートローラ２４を所定の定着温度に保つ。また定着ユニット２２は、多色トナー像が転写されたシートをヒートローラ２４と加圧ローラ２５とに挟んで回転させ、ヒートローラ２４の熱によりシート上に多色トナー像を熱定着させる。なお、シートに転写された多色トナー像は、溶融、混合、圧接し、シートに熱定着する。
多色トナー像が熱定着したシートは、定着ユニット２２の出口近傍に設けられた搬送ローラにより排出される。
【００３２】
定着ユニット２２を通過したシートは、片面印刷要求の場合、排紙ローラ２９を通じて、画像形成装置１の上面に設けられた排紙トレイ３０上にフェイスダウンで排出される。両面印刷要求の場合、定着ユニット２２を通過したシートは、排紙ローラ２９により一旦チャックされた後、排紙ローラ２９が逆回転されることにより両面原稿搬送路Ｓ１へと導かれ、搬送ローラ３１により再度レジストローラ２３まで搬送される。そして、シートは、裏面側にトナー像を転写及び熱定着された後、排紙ローラ２９により排紙トレイ３０上に排出される。
【００３３】
画像形成装置１は、上述した構成のほかにも、例えば、サイズが異なる複数種のシートを収容できる給紙カセット、数千枚単位のシートを収容できる大容量給紙カセット、複数の排紙トレイ及び画像形成されたシートを各排紙トレイに搬送するための搬送機構等を備えることもでき、また、これらをオプション機能として後付けできる構成とすることもできる。
【００３４】
図２は本実施形態に係る画像形成装置１の制御系の構成例を示すブロック図である。本実施形態の画像形成装置１は、ＣＰＵ（Central Processing Unit）２、ＲＡＭ（Random Access Memory）３、ＨＤＤ（Hard Disk Drive）４、操作パネル５、ネットワークコントローラ６、画像処理部７及び画像形成部８等を備える。画像形成装置１が備える各部はバスを介して相互に接続されている。
【００３５】
ＣＰＵ２は、バスを介して接続される上述したハードウェア各部の動作を制御すると共に、ＨＤＤ４に格納されている制御プログラムに従って、種々のソフトウェア的機能を実行する。
ＨＤＤ４は大容量のメモリ装置であり、上述したようなハードウェア各部をＣＰＵ２が制御するための制御プログラムを予め格納している。ＲＡＭ３は揮発性の半導体メモリであり、ＣＰＵ２による制御プログラムの実行中に発生するデータを一時的に記憶する。ＣＰＵ２が、ＨＤＤ４に格納してある制御プログラムをＲＡＭ２に読み出して順次実行することにより、画像形成装置１を、本発明の画像処理装置及び画像形成装置として動作させる。
【００３６】
またＨＤＤ４は、ネットワークコントローラ６を介して外部の装置から受信した印刷ジョブ、印刷ジョブを展開して得られる印刷実行データ（印刷対象のデータ）、画像処理部７によって所定の画像処理が施されたデータ等を記憶する。ＨＤＤ４に記憶されたデータ（印刷対象のデータ）はＣＰＵ２が指示するタイミングで画像処理部７又は画像形成部８へ読み出される。
更にＨＤＤ４は、画像処理部７による画像処理に使用される各種データ、画像形成部８の特性データ（濃度、階調、ドット再現等の情報）、予め生成された地紋データ、画像処理部７による中間調処理に使用されるディザマトリクスパターンを格納する。
【００３７】
操作パネル５は、ユーザからの操作指示を受け付けるための各種操作ボタンを備えた操作部と、ユーザに対して報知すべき情報を表示するＬＥＤディスプレイ、液晶ディスプレイ等の表示部とにより構成されている。なお、操作パネル５を、表示画面に触れることで入力が可能なタッチパネルによって構成してもよい。
ネットワークコントローラ６は、外部のパーソナルコンピュータ等の情報処理装置と通信回線を介して通信を行うための通信インタフェースであり、外部の情報処理装置との間でデータの送受信を行う。外部の情報処理装置は、ページ記述言語形式のデータ（印刷ジョブ）を送信し、ネットワークコントローラ６は、外部の情報処理装置から送信されてくる印刷ジョブを受信する。ネットワークコントローラ６は、受信した印刷ジョブをＨＤＤ４又は画像処理部７へ転送する。画像処理部７は、転送されてきた印刷ジョブを展開して印刷実行データを生成し、生成した印刷実行データをＨＤＤ４へ転送する。ＨＤＤ４は、ネットワークコントローラ６から転送されてきた印刷ジョブ及び画像処理部７から転送されてきた印刷実行データを、例えばページ単位で記憶する。
【００３８】
画像処理部７は、ネットワークコントローラ６が受信した印刷ジョブを展開して印刷実行データを生成する処理を行い、また、印刷実行データに対して、色変換処理、階調補正処理、中間調処理等の各種の画像処理を実行する。特に本実施形態の画像処理部７は、印刷実行データに対して地紋データを付加する合成処理、ディザマトリクスパターンを用いた中間調処理を行う。なお、画像処理部７が行う処理の詳細については後述する。画像処理部７は、画像処理後のデータ（画像データ）をＨＤＤ４へ出力する。
画像処理部７は、所定の画像処理を実行するための制御プログラムをＣＰＵ２が実行することによって実現されるソフトウェア的機能であってもよいし、専用のハードウェア回路によって実現されてもよい。
【００３９】
画像形成部８は、図１に示した各部を含み、印刷対象のデータに基づく画像をシート上に形成する画像形成手段である。本実施形態の画像形成部８は、電子写真方式のプリンタであるが、このほかにインクジェット方式等のプリンタを用いてもよい。
画像形成装置１は、上述した構成のほかに、画像形成部８による色再現性を向上させるために行うカラーキャリブレーションに用いる情報の取得手段として、濃度センサ、温湿度センサ等も備える。
【００４０】
上述した構成の画像形成装置１は、ネットワークコントローラ６を介して外部の情報処理装置から受信した印刷ジョブから、画像処理部７によって印刷実行データを生成し、生成した印刷実行データに基づく画像を画像形成部８によってシート上に形成する。また、本実施形態の画像形成装置１は、印刷実行データに基づく画像出力を行う際に、印刷実行データに地紋データを付加（合成）する。この場合、印刷実行データに基づいてシート上に形成された画像に、地紋データに基づく地紋画像が含まれるので、偽造抑制処理された印刷物を生成できる。印刷対象のデータが機密文書データである場合には、印刷物に地紋画像を形成することによって不正複写を抑制でき、有効である。
【００４１】
以下に、画像処理部７が行う処理について説明する。図３は画像処理部７による画像処理の手順を示すフローチャートである。ここでは、ネットワークコントローラ６を介して受信した印刷ジョブを画像処理部７が展開して得られた印刷実行データに対して行う各種の画像処理について説明する。なお、印刷ジョブは、例えば、市役所のデータベース（サーバ装置）で保存されている住民票や印鑑証明書等の機密文書データの印刷処理である。また画像形成装置１のネットワークコントローラ６は、通信回線やインターネットを介して市役所のデータベースに接続し、機密文書データの印刷ジョブを取得する。画像形成装置１の画像処理部７は、印刷ジョブに基づいて、例えばＲＧＢ（Ｒ：赤、Ｇ：緑、Ｂ：青）データ又はＢＫ（白黒）データ等の印刷実行データ（機密文書データ）を生成する。
【００４２】
画像処理部７は、印刷実行データに対して、予め生成してＨＤＤ４に記憶してある地紋データを合成する（Ｓ１）。なお、地紋データもＲＧＢデータ又はＢＫデータであり、ＲＧＢデータの印刷実行データに対してはＲＧＢデータの地紋データを合成し、ＢＫデータの印刷実行データに対してはＢＫデータの地紋データを合成する。地紋データの合成は、各画素の画素値の加算又は置換処理によって行われる。
地紋データ及び地紋データに基づく地紋画像の詳細については後述する。地紋データは、機密文書データを出力する都度（機密文書データ毎に）生成してもよいし、予め生成しておいてもよいが、生成された地紋データは、ＨＤＤ４に格納され、所定のタイミングで読み出されて画像処理部７に入力される。
【００４３】
画像処理部７は、処理対象の印刷実行データがＲＧＢデータであるか否かを判断しており（Ｓ２）、ＲＧＢデータである場合（Ｓ２：ＹＥＳ）、地紋データを合成した印刷実行データに対して色変換処理を行い（Ｓ３）、ＣＭＹＫ（Ｃ：シアン、Ｍ：マゼンタ、Ｙ：イエロー、Ｋ：ブラック）データを生成する。色変換処理は、ＲＧＢデータを、補色であるＣＭＹの色空間に変換してＣＭＹデータを生成すると共に、ＣＭＹデータからＫデータを生成し、元のＣＭＹデータからＫデータを差し引いて新たなＣＭＹデータを生成する処理である。
一方、処理対象の印刷実行データがＲＧＢデータでない場合（Ｓ２：ＮＯ）、即ち、印刷実行データがＢＫデータである場合、画像処理部７は、ステップＳ３の処理をスキップし、色変換処理を行わない。色変換処理は、例えば、画像形成装置１が備えるファームウェア（図示せず）に実装されたカラーマネジメントモジュールにて、ＩＣＣプロファイルのカラーテーブルに基づいて行われる。
【００４４】
画像処理部７は、地紋データが合成された印刷実行データに対して階調補正処理を行う（Ｓ４）。これにより、印刷実行データ（画像データ）の空間周波数特性が補正され、出力画像のぼやけ又は粒状性劣化が防止できる。また、階調補正処理により、印刷実行データに合成された地紋データ（地紋データの階調値）が、地紋データに基づく地紋画像の潜像部の濃度と背景部の濃度とが次の中間調処理後に同一となるような階調値（入力階調値）に変更される。なお、印刷実行データがＲＧＢデータである場合、画像処理部７は、各色成分毎に階調補正処理を行う。
【００４５】
次に画像処理部（処理部）７は、階調補正処理した印刷実行データに対して、ディザマトリクスパターンを用いた中間調処理を行う（Ｓ５）。なお、中間調処理の詳細については後述する。中間調処理も、印刷実行データがＲＧＢデータであれば、各色成分毎に行われる。
【００４６】
画像処理部７は、中間調処理した印刷実行データをＨＤＤ４又はＲＡＭ３に一旦記憶し、画像形成を行う所定のタイミングで読み出して画像形成部８へ出力し、画像形成部８にて画像形成を行う（Ｓ６）。このように地紋データを合成した上で画像形成を行うことにより、偽造抑制処理が施された印刷物にて機密文書を生成できる。また、上述の階調補正処理及び中間調処理によって、シート上に画像形成された地紋画像の潜像部の濃度と背景部の濃度とが同一になる。これにより、地紋画像が、前景となる機密文書の視認の邪魔にならない。
【００４７】
次に地紋データ及び地紋データに基づく地紋画像について説明する。
図４は地紋画像の例を示す模式図である。地紋画像は、複写された場合に顕在化（顕像化）する潜像部と、潜像部以外の背景部とを有する。図４に示す地紋画像では、「複写」の文字部分を潜像部とし、その他の領域を背景部とする。
【００４８】
図５は地紋画像の潜像部及び背景部に用いるマスクパターンの例を示す模式図であり、図５Ａには潜像部に用いるマスクパターンを示し、図５Ｂには背景部に用いるマスクパターンを示す。なお、図５において、破線で示す四角のそれぞれは画素を示す。また、図において右方向を画像の主走査方向とし、下方向を画像の副走査方向とする。
地紋画像中の潜像部は、図５Ａに示すように、各ドットが大きい（粗い）マスクパターンで構成され、背景部は、図５Ｂに示すように、各ドットが小さい（細かい）マスクパターンで構成される。図５Ａに示す潜像部用のマスクパターンは、１８×１８（副走査方向×主走査方向）画素のブロック毎に、４×４画素の１６画素を１つのドットとし、各ドットの左上端を各ブロックの左上端及び中央部に一致させて２つのドットを斜め方向に配置したパターンである。即ち、潜像部用のマスクパターンは、集合画素数（ドットを構成する画素数）が多いドットで構成される。
【００４９】
図５Ｂに示す背景部用のマスクパターンは、２×１画素の２画素を１つのドットとして各ドットを均等に配置すると共に、２４×２４画素中に配置された３２ドットのうちの、均等に配置された４ドットを、それぞれ１画素ずつ加えて３画素としてあるパターンである。即ち、背景部用のマスクパターンは、集合画素数が少ないドットで構成される。なお、背景部用のマスクパターンを構成する各ドットは、図５Ｂにおける左右方向（主走査方向）に５画素ずつ隔てて配置されており、上下方向（副走査方向）に隣り合うドットの列は、上下方向に１画素ずつ隔てて配置されると共に、左右方向に２画素分ずつずらして配置されている。また、３画素で構成される４ドットにおいて、近傍に配置される各ドットは、２×１画素の２画素に対して異なる位置に１画素が追加されている。図５Ｂに示す例では、左上の２４×２４画素中の４ドットにおいて、左上のドット及び右下のドットは、２×１画素の２画素に対して、上側の画素の右側に１画素が追加されており、右上のドット及び左下のドットは、２×１画素の２画素に対して、下側の画素の右側に１画素が追加されている。
【００５０】
図５に示したマスクパターンは一例にすぎず、例えば、潜像部は、所定数ｊ（自然数）個以上の画素からなるドットで構成されていればよく、背景部は、所定数ｉ（自然数、ｉ＜ｊ）個以下の画素からなるドットで構成されていればよい。なお、ｉは例えば３であり、複写した場合に消失するサイズの画素数である。また、ｊは例えば６であり、複写した場合でも消失しないサイズの画素数である。このように、潜像部を構成するドットの画素数と背景部を構成するドットの画素数との間に（ｊ−ｉ）個の隔たりを設けることにより、各ドットを明確に区別できる。
具体的には、背景部用のマスクパターンに用いられるドットは、例えば、３つ以下の画素で構成すればよい。なお、３つの画素でドットを構成する場合、主走査方向（又は副走査方向）に隣り合う２つの画素と、この２つの画素のいずれか一方に対して副走査方向（又は主走査方向）に隣り合う１つの画素との３つの画素でドットを構成する。また、近傍に位置する各ドットは、隣り合う２つの画素に対して異なる位置にもう１つの画素が配置される。このように、近傍の各ドットにおいて、追加する画素の位置を異ならせることにより、入力階調値に対する出力濃度を滑らかに変化させることができる。
【００５１】
地紋画像において、集合画素数が２画素のドットと、集合画素数が３画素のドットとでは、階調値（入力階調値）に対する出力濃度の変化量が若干異なる。従って、集合画素数が２画素のドットと、集合画素数が３画素のドットとの混合比率を変更することにより、階調値に対する出力濃度の変化量の微調整が可能である。なお、集合画素数が奇数（例えば３画素）のドットは、後述の中間調処理において市松模様状のディザマトリクスパターンがかけられた場合に出力濃度の変化量に偏りが出ないように配置する必要がある。例えば、２４×２４画素中に配置される、集合画素数が３画素の４ドットについて、半分の２ドットは、中間調処理によって３画素のうちの２画素が小さい画素値となる位置に、また、残りの２ドットは、中間調処理によって３画素のうちの１画素のみが小さい画素値となる位置に配置する。
【００５２】
ここで、複写された場合に潜像部が顕在化（顕像化）する仕組みについて説明する。図５Ａに示す大きいドットで構成された潜像部と、図５Ｂに示す小さいドットで構成された背景部とを有する地紋画像を複写した場合、小さいドットで構成された背景部が、複写の際の各種処理によって濃度が下げられることにより複写されなくなる。その結果、背景部のドットが消失し、潜像部が浮かび上がったような状態で明確に現われる。なお、「複写」の文字を小さいドットで構成し、その他の背景領域を大きいドットで構成した地紋画像を複写した場合、小さいドットで構成された文字が複写されない。その結果、小さいドットで構成された文字のドットが消失し、「複写」の文字が白抜きの状態で顕在化する。
【００５３】
画像処理部７は、潜像部に用いる文字（図４では「複写」）のビットマップデータと、潜像部用のマスクパターンと、背景部用のマスクパターンとを合成し、上述したような地紋画像を形成するための地紋データを生成する。具体的には、画像処理部７は、画像形成部８が画像出力する際の原稿１枚分の大きさの領域に対して所定の１又は複数箇所に、潜像部に用いる文字を配置させ、各潜像部に潜像部用のマスクパターンを割り当て、背景部に背景部用のマスクパターンを割り当てる。これにより、図５に示すマスクパターンを用いて、図４に示すような地紋画像を形成するための地紋データが生成される。なお、ビットマップデータ、潜像部用のマスクパターン、背景部用のマスクパターンは、ＨＤＤ４に予め記憶されている。
【００５４】
上述したように、地紋データは、小さいドットからなる潜像部用のマスクパターンと、大きいドットからなる背景部用のマスクパターンとにより構成される。しかし、それぞれのパターンは、画像出力された場合に見た目上同一の濃度で形成されるように設計されているので、地紋の外観としてはパターン間での違いは殆どなく、前景となる画像データ（機密文書データ）への影響はない。
【００５５】
次に、画像処理部７による中間調処理について説明する。図６は中間調処理に用いられるディザマトリクスパターンの例を示す模式図、図７はディザマトリクスパターンの具体例を示す模式図である。図６及び図７に示すディザマトリクスパターンは４×４のサイズを有する。ディザマトリクスパターンは、中間調処理される画像の階調値（入力階調値）に応じて印字出力（出力階調値）を変化させる一連のパターン群である。本実施形態のディザマトリクスパターンは、画素１ａ、画素１ｂ〜画素１ｈの各画素に所定範囲内の値が割り当てられ、画素２ａ、画素２ｂ〜画素２ｈの各画素に所定範囲内の値が割り当てられている。中間調処理は、入力画像データ（印刷実行データ）の各画素値と、ディザマトリクスパターンの各値との比較を行い、各画素の画素値を決定する処理である。
【００５６】
本実施形態のディザマトリクスパターンは、８ビットの値（０〜２５５）のうちの、均等に割り振られた１６点（０，１７，３４，５１，６８，８５，１０２，１１９，１３６，１５３，１７０，１８７，２０４，２２１，２３８，２５５）のいずれかの値で構成されている。従って、このようなディザマトリクスパターンを用いた中間調処理によって、各画素の画素値が１６個の値のいずれかに制御された画像データが得られる。
具体的には、例えば、図７Ａに示すディザマトリクスパターンは、入力階調値が６４の画像に対して用いるパターンであり、画素１ａ〜１ｄに１３６が、画素１ｅ〜１ｈに１１９が、画素２ａ〜２ｈに０がそれぞれ割り当てられている。また、図７Ｂに示すディザマトリクスパターンは、入力階調値が１２８の画像に対して用いるパターンであり、画素１ａ〜１ｈに２５５が、画素２ａ〜２ｈに０がそれぞれ割り当てられている。更に、図７Ｃに示すディザマトリクスパターンは、入力階調値が１９１の画像に対して用いるパターンであり、画素１ａ〜１ｈに２５５が、画素２ａ〜２ｄに１３６が、画素２ｅ〜２ｈに１１９がそれぞれ割り当てられている。このように、本実施形態のディザマトリクスパターンは、画素１ａ〜１ｈに対しては同一の値又は差が１７である値が割り当てられ、画素２ａ〜２ｈに対しても同一の値又は差が１７である値が割り当てられており、このようなパターンを、説明の便宜上、市松模様状のディザマトリクスパターンと呼ぶこととする。なお、画素１ａ〜１ｈ，画素２ａ〜２ｈは、主走査方向及び副走査方向に対して交差する方向、即ち斜め方向に配置されている画素であり、主走査方向及び副走査方向のそれぞれにおいて１画素おきに配置されている画素である。
【００５７】
本実施形態では、４×４のディザマトリクスパターンを例に説明するが、パターンを構成する各値が中間調濃度で市松模様状となるディザマトリクスパターンであれば４×４のディザマトリクスパターンに限定されない。例えば、１×２のディザマトリクスパターンを用いる場合、原稿の副走査方向（縦方向）に１画素ずつシフトさせて中間調処理を行ってもよく、また、２×１のディザマトリクスパターンを用いる場合、原稿の主走査方向（横方向）に１画素ずつシフトさせて中間調処理を行ってもよい。
【００５８】
ディザマトリクスパターンが、２×２、４×４、６×６…のような偶数サイズであれば問題はない。しかし、３×３、５×５…のような奇数サイズのディザマトリクスパターンを用いる場合、地紋画像のパターン（潜像部用のマスクパターン及び背景部用のマスクパターン）と、ディザマトリクスパターンとが干渉する場合がある。従って、奇数サイズのディザマトリクスパターンを用いる場合、地紋画像のパターンと干渉しないディザマトリクスパターンを用いる必要がある。
図８は５×５のディザマトリクスパターンの例を示す模式図、図９は中間調処理後の背景部用のマスクパターンの例を示す模式図である。図９には、図５Ｂに示す背景部用のマスクパターンに対して、図８に示すディザマトリクスパターンをかけた後の状態を示す。なお、図８に示すディザマトリクスパターンも、パターンを構成する各値が市松模様状となるように構成されているものとする。図９に示すように、５×５のディザマトリクスパターンに基づく処理を行った場合、各ドットが均等に配置されなくなることがある。なお、図９において黒色よりも薄い色（グレー）で示す画素は、ディザマトリクスパターンを用いた中間調処理によって濃度が低下した画素である。従って、地紋画像のパターンと干渉せず、中間調処理後の各ドットが均等に配置されるディザマトリクスパターンを用いる必要がある。
【００５９】
また、ディザマトリクスパターンは、偶数画素×偶数画素のサイズのパターン、又は、奇数画素×奇数画素のサイズで地紋画像のパターンと干渉しないパターンに限らない。このほかに、ディザマトリクスパターンは、奇数画素×偶数画素のサイズのパターン、又は、偶数画素×奇数画素のサイズのパターンであってもよく、これらのサイズの場合、地紋画像（ドットの大きさが異なる複数領域を有する画像）のパターンと干渉しないパターンを用いればよい。
【００６０】
図１０は４×４のディザマトリクスパターンの例を示す模式図、図１１は中間調処理後の潜像部用のマスクパターンの例を示す模式図、図１２は中間調処理後の背景部用のマスクパターンの例を示す模式図である。図１１には、図５Ａに示す潜像部用のマスクパターンに対して、図１０に示すディザマトリクスパターンをかけた後の状態を示し、図１２には、図５Ｂに示す背景部用のマスクパターンに対して、図１０に示すディザマトリクスパターンをかけた後の状態を示す。
図１０に示すディザマトリクスパターンは、入力階調値が１９６の画像に対して用いられるパターンであり、画素１ａ〜１ｈに２５５が割り当てられており、画素２ａ〜２ｈに１３６が割り当てられている。このようなディザマトリクスパターンを入力階調値が１９６の画素に対してかけた場合、各画素が階調値１３６又は２５５に補正される中間調処理が実行される。
【００６１】
地紋画像に対して、図１０に示すようなディザマトリクスパターンをかけた場合、図１１に示すように、潜像部の各ドット（大きいドット）を構成する各画素の画素値が市松模様状に低下する。しかし、画素値が低下した画素の周辺に最大画素値（２５５）の画素があるので、画素値が低下した画素の見た目上の濃度が低下しない。一方、図１２に示すように、背景部の各ドット（小さいドット）は、画素値が低下した画素の周辺に最大画素値（２５５）の画素が１つしか存在しないので、画素値が低下した画素の見た目上の濃度が低下する。
【００６２】
本発明は、このような潜像部及び背景部の出力濃度の特性の差を利用し、地紋画像に市松模様状のディザマトリクスパターンを用いた中間調処理を行うことによって、潜像部及び背景部の濃度を同時に且つ個別に調整する。
図１３は中間調処理前の地紋画像の階調値と中間調処理後の地紋画像の出力濃度との関係特性を示す特性図である。図１３の横軸は中間調処理前の地紋画像の階調値（入力階調値）を示し、縦軸は中間調処理後の地紋画像の出力濃度を示しており、実線は地紋画像の潜像部における関係特性を示し、破線は地紋画像の背景部における関係特性を示す。図１３に示すように、潜像部は入力階調値の変化に対して出力濃度の変化量が小さいのに対して、背景部は入力階調値の変化に対して出力濃度の変化量が大きい。よって、１つのディザマトリクスパターンを用いて処理することによって、地紋画像の潜像部の濃度と背景部の濃度とを同時に調整できる。なお、図１３に示す特性によれば、階調値１９６の潜像部及び背景部に対して、図１０に示すディザマトリクスパターンを用いた中間調処理を行った場合に潜像部及び背景部の濃度が同一に調整されることが分かる。
【００６３】
従って、本実施形態の画像形成装置１は、例えば、画像処理部７によって、地紋画像（潜像部及び背景部）の階調値が１９６となるような階調補正処理を行い、図１０に示すようなディザマトリクスパターンを用いた中間調処理を行う。これにより、潜像部及び背景部の濃度が同一に調整された地紋画像をシート上に形成することができる。
【００６４】
上述の図５〜図７、図１０〜図１２は、解像度が６００ｄｐｉの画像に用いるディザマトリクスパターン、潜像部用のマスクパターン及び背景部用のマスクパターンについて説明した。本発明は、解像度が１２００ｄｐｉの画像に対しても適用できる。
図５Ａに示した潜像部用のマスクパターンと図５Ｂに示した背景部用のマスクパターンとを有し、解像度が６００ｄｐｉの地紋画像（地紋データ）に対しては、図６、図７及び図１０に示した市松模様状のディザマトリクスパターンを用いることが適している。一方、図１４に示す潜像部用のマスクパターンと図１５に示す背景部用のマスクパターンとを有し、解像度が１２００ｄｐｉの地紋画像（地紋データ）に対しては、図１６に示すディザマトリクスパターンを用いるのがよい。
【００６５】
図１４は解像度が１２００ｄｐｉの潜像部用のマスクパターンを示す模式図、図１５は解像度が１２００ｄｐｉの背景部用のマスクパターンを示す模式図、図１６は解像度が１２００ｄｐｉの画像に対する中間調処理に用いられるディザマトリクスパターンの例を示す模式図である。図１４に示す潜像部用のマスクパターンは、３６×３６画素のブロック毎に、８×８画素の６４画素を１つのドットとし、各ドットの左上端を各ブロックの左上端及び中央部に一致させて２つのドットを斜め方向に配置したパターンである。また図１５に示す背景部用のマスクパターンは、４×２画素の８画素を１つのドットとして各ドットを均等に配置したパターンである。なお、背景部用のマスクパターンを構成する各ドットは、図１５における左右方向（主走査方向）に１０画素ずつ隔てて配置されており、上下方向（副走査方向）に隣り合うドットの列は、上下方向に２画素ずつ隔てて配置されると共に、左右方向に４画素分ずつずらして配置されている。
【００６６】
図１６に示すディザマトリクスパターンは、それぞれ４つの画素１ａ、画素１ｂ〜画素１ｈの各画素に所定範囲内の値が割り当てられ、それぞれ４つの画素２ａ、画素２ｂ〜画素２ｈの各画素に所定範囲内の値が割り当てられている。解像度１２００ｄｐｉは解像度６００ｄｐｉの２倍であるので、図１６に示すディザマトリクスパターンは、図６に示すディザマトリクスパターンにおいて各値に対応する画素（１ａ〜１ｈ，２ａ〜２ｈ）の数が４倍に変更されている。このように、画像の解像度に応じて、ディザマトリクスパターンを構成する各値に対応する画素の数が変更されたディザマトリクスパターンを用いて中間調処理を行なうことにより、解像度が異なる画像においても、異なる大きさのドットで構成される各領域の濃度を同時に調整することができ、ドットや細線等の濃度を最適に調整することができる。同様に、解像度が２４００ｄｐｉの画像に対しては、図６に示すディザマトリクスパターンにおいて各値に対応する画素（１ａ〜１ｈ，２ａ〜２ｈ）の数が１６倍に変更されたディザマトリクスパターンを用いればよい。
【００６７】
図１４及び図１５に示したマスクパターンは一例にすぎず、例えば、潜像部は、ディザマトリクスパターンを構成する各値に対応する画素の数（図１６のディザマトリクスパターンでは４つ）の所定数ｊ倍以上の画素からなるドットで構成されていればよく、背景部は、所定数ｉ（自然数、ｉ＜ｊ）倍以下の画素からなるドットで構成されていればよい。なお、ｉは例えば３であり、１２個以下の画素で構成されたドットによって背景部用マスクパターンが構成される。また、ｊは例えば６であり、２４個以上の画素で構成されたドットによって潜像部用マスクパターンが構成される。
図１５に示す背景用マスクパターンは、ディザマトリクスパターンを構成する各値に対応する画素の２倍の画素（即ち８画素）からなるドットで構成されている。例えば、３倍の画素（即ち１２画素）でドットを構成する場合、ディザマトリクスパターンを構成する各値に対応する数の画素（ここでは２×２の４画素）を１組の画素群とし、主走査方向（又は副走査方向）に隣り合う２組の画素群と、この２組の画素群のいずれか一方に対して副走査方向（又は主走査方向）に隣り合う１組の画素群とでドットを構成すればよい。また、近傍に位置する各ドットは、隣り合う２組の画素群に対して異なる位置にもう１組の画素群が配置される。このように、近傍の各ドットにおいて、追加する画素群の位置を異ならせることにより、入力階調値に対する出力濃度を滑らかに変化させることができる。
【００６８】
図１７は中間調処理後の潜像部用のマスクパターンの例を示す模式図、図１８は中間調処理後の背景部用のマスクパターンの例を示す模式図である。図１７には、図１４に示す潜像部用のマスクパターンに対して、図１６に示すディザマトリクスパターンをかけた後の状態を示し、図１８には、図１５に示す背景部用のマスクパターンに対して、図１６に示すディザマトリクスパターンをかけた後の状態を示す。
このように解像度が１２００ｄｐｉの地紋画像であっても、潜像部及び背景部の出力濃度の特性の差を利用し、地紋画像に市松模様状のディザマトリクスパターンをかけることによって、潜像部及び背景部の濃度を同時に且つ個別に調整することができる。なお、解像度が１２００ｄｐｉの画像に対して、図１６に示すようなディザマトリクスパターンを用いる処理だけでなく、図１６に示したディザマトリクスパターンを用いる処理と、図６に示したディザマトリクスパターンを用いる処理とを適宜切り替えて、また適宜組み合わせて行うようにしてもよい。
【００６９】
上述した実施形態では、機密文書データを印刷する際に地紋データを合成することによって偽造抑制処理された印刷物を生成できる。また、市松模様状のディザマトリクスパターンを用いて中間調処理を行うことによって、地紋画像の潜像部及び背景部の濃度を同時に調整することができ、同一の濃度に容易に調整することができる。機密文書データに合成された地紋データにおいて、潜像部の濃度と背景部の濃度とが同一に制御されているので、機密文書データを印刷した場合の印刷物（原本）において地紋画像は認識し辛く、前景となる機密文書の視認を妨げない。
【００７０】
上述した実施形態では、「複写」等の文字を潜像部とした地紋画像を機密文書に合成する構成について説明した。このほかに「複写」等の文字を背景部（小さいドットで構成される領域）として地紋画像を構成してもよく、このような地紋画像は、複写した場合に「複写」等の文字が白抜けの状態で顕在化する。
【００７１】
上述した実施形態では、地紋画像に対して市松模様状のディザマトリクスパターンに基づく中間調処理を行うことによって、地紋画像の潜像部及び背景部の濃度を同時に且つ個別に調整する構成について説明した。地紋画像のほかに、異なる大きさのドットで構成される複数の領域を含む画像に対しても、市松模様状のディザマトリクスパターンに基づく中間調処理を行うことにより、各領域における入力階調値と出力濃度との関係特性の相異を利用して、各領域の濃度を適切に調整することができるので、適切な画質を実現できる。具体的には、異なる大きさのドットで構成される複数領域を有する画像、異なる太さのライン（細線及び太線）を有する画像に対して、市松模様状のディザマトリクスパターンに基づく中間調処理を行った場合、ドット径や線幅の調整も可能である。細線は、上述の地紋画像の背景部（小さいドット）と同様に、経時変化や環境変化により線幅が大きく変動するのに対して、太線は、上述の地紋画像の潜像部（大きいドット）と同様に、経時変化や環境変化により線幅があまり変動しない。よって、ラインに対して市松模様状のディザマトリクスパターンに基づく中間調処理を行うことにより、画像形成装置の個々のばらつき、画像形成装置を構成する各部の劣化等の経時変化、使用環境の変化等が生じた場合でも、ドット径や線幅を適切に調整できるので、ドットや細線で構成される地紋画像の潜像部及び背景部の濃度を適切に調整でき、高画質を維持できる。
【００７２】
また、細線としては、例えば、ディザマトリクスパターンを構成する各値に対応する数の画素において、主走査方向（又は副走査方向）の幅（図６のディザマトリクスパターンでは１画素分、図１６のディザマトリクスパターンでは２画素分）のａ（自然数）倍以下の幅を有するラインが挙げられる。なお、ａは例えば２である。また、太線としては、例えば、ディザマトリクスパターンを構成する各値に対応する数の画素において、主走査方向（又は副走査方向）の幅（図６のディザマトリクスパターンでは１画素分、図１６のディザマトリクスパターンでは２画素分）のｂ（自然数、ｂ＞ａ）倍以上の幅を有するラインが挙げられる。なお、ｂは例えば４である。
このような細線及び太線が含まれるような画像においても、上述したような市松模様状のディザマトリクスパターンに基づく中間調処理を行うことにより、各ラインの幅を適切に調整でき、適切な画質を実現できる。
【００７３】
上述した実施形態では、本発明の画像形成装置をプリンタに適用した形態を例に説明したが、プリント機能だけでなく、原稿の画像を読み取るスキャナ機能、読み取った画像データに基づいてシート上に多色及び単色の画像を形成する複写機能等を有する各種の画像形成装置に適用できる。また、本発明の画像処理装置は、画像形成部を備えないＰＣ（Personal Computer）にも適用できる。また、上述した実施形態の画像形成装置１は、中間転写方式のカラー画像を形成する構成を例としたが、例えばタンデム方式で配置された各色に対応する感光体ドラムに形成されたトナー像を搬送されるシート上に順次転写する構成の画像形成装置にも適用することができる。
【００７４】
以上、本発明の好適な実施形態について具体的に説明したが、各構成及び動作等は適宜変更可能であって、上述の実施形態に限定されることはない。
【符号の説明】
【００７５】
１  画像形成装置
２  ＣＰＵ
７  画像処理部（処理部）
８  画像形成部
【図１】
0006296521.tif 000002
【図２】
0006296521.tif 000003
【図３】
0006296521.tif 000004
【図４】
0006296521.tif 000005
【図５】
0006296521.tif 000006
【図６】
0006296521.tif 000007
【図７】
0006296521.tif 000008
【図８】
0006296521.tif 000009
【図９】
0006296521.tif 000010
【図１０】
0006296521.tif 000011
【図１１】
0006296521.tif 000012
【図１２】
0006296521.tif 000013
【図１３】
0006296521.tif 000014
【図１４】
0006296521.tif 000015
【図１５】
0006296521.tif 000016
【図１６】
0006296521.tif 000017
【図１７】
0006296521.tif 000018
【図１８】
0006296521.tif 000019